(57)【特許請求の範囲】
【請求項１】
電解槽と貯溜槽を供給管路にて接続して、前記貯溜槽内に貯溜した被電解水を前記電解槽に供給して同電解槽にて電解する電解水生成装置であって、前記供給管路の途中にフィルタが配設されている電解水生成装置であり、前記供給管路は、前記貯溜槽に接続された主管路部と同主管路部を前記電解槽の陽極室および陰極室に接続する分岐管路部を備え、これら両分岐管路部の接合部に前記フィルタが配設されていることを特徴とする電解水生成装置。
【請求項２】
請求項１に記載の電解水生成装置において、前記供給管路における前記両分岐管路部の接合部は前記貯溜槽における被電解水の最高水位より高い部位に位置し、前記フィルタは、前記貯溜槽における被電解水の最高水位より高い部位に位置していることを特徴とする電解水生成装置。
【請求項３】
請求項１または２に記載の電解水生成装置において、前記フィルタを、前記供給管路の各分岐管路部に接続される流路および同流路に連通する連通孔を有し前記供給管路に介装されるケーシングと、同ケーシングの前記連通孔の開口部に脱着可能に取付けられて同開口部を液密的に閉塞するプラグと、同プラグに脱着可能に取付けられて前記ケーシング内の前記流路に臨むフィルタエレメントとにより構成したことを特徴とする電解水生成装置。
【請求項４】
請求項３に記載の電解水生成装置において、前記フィルタを構成するケーシングを透明材料にて形成したことを特徴とする電解水生成装置。
【発明の詳細な説明】
【０００１】
【産業上の利用分野】
本発明は、被電解水を電解槽に供給して同電解槽内にて電解する電解水生成装置に関する。
【０００２】
【従来の技術】
電解水生成装置は特公平４−４２０７７号公報に示されているように、電解槽と貯溜槽を供給管路にて接続して、前記貯溜槽内に貯溜した被電解水を前記電解槽に供給して同電解槽にて電解するように構成されている。かかる構成の電解水生成装置においては、電解槽へ供給される被電解水中の夾雑物を除去して清浄化するため、被電解水を濾過するためのフィルタが配設される。図３にはかかる形式の電解槽生成装置の概略構成が示されており、当該電解水生成装置においては、フィルタは一般に貯溜槽内に配設されている。
【０００３】
同図に示す電解水生成装置においては、電解槽１と貯溜槽２が供給管路３にて接続されており、供給管路３の基端部が貯溜槽２内の底部に臨んでいて、供給管路３の基端部にフィルタ４が組付けられて貯溜槽２内に位置している。従って、当該電解水生成装置においては、貯溜槽２内に貯溜されている被電解水が貯溜槽２内にてフィルタ４により濾過され、清浄化された状態で供給管路３を経て電解槽１に供給されることになる。
【０００４】
【発明が解決しようとする課題】
ところで、当該電解水生成装置のフィルタ４は長期間の運転中に目詰まりを生じることから、目詰まりの生じた時点でフィルタ４を取り外して新しいフィルタに交換し、または同フィルタ４を洗浄または清掃して再生する必要がある。しかしながら、当該電解水生成装置においては、フィルタ４が貯溜槽２内の底部に位置していることから、フィルタ４を供給管路から取り外す際には、貯溜槽２内に残存している被電解水を一旦排出して貯溜槽２内を空の状態にする必要があり、フィルタ４の交換、洗浄、清掃時の準備作業が甚だ面倒である。また、フィルタ４は貯溜槽２内の被電解水に水没していることから、フィルタ４の目詰まり状態を外部から目視により確認することは不可能である。従って、本発明の目的は、当該電解水生成装置において、これらの問題に対処することにある。
【０００５】
【課題を解決するための手段】
本発明は、電解槽と貯溜槽を供給管路にて接続して、前記貯溜槽内に貯溜した被電解水を前記電解槽に供給して同電解槽にて電解する電解水生成装置であって、前記供給管路の途中にフィルタが配設されている電解水生成装置であり、前記供給管路は、前記貯溜槽に接続された主管路部と同主管路部を前記電解槽の陽極室および陰極室に接続する分岐管路部を備え、これら両分岐管路部の接合部に前記フィルタが配設されていることを特徴とするものである。
【０００６】
本発明に係る電解水生成装置においては、前記供給管路における前記両分岐管路部の接合部は前記貯溜槽における被電解水の最高水位より高い部位に位置し、前記フィルタを前記貯溜槽における被電解水の最高水位より高い位置に配設すること、前記フィルタを、前記供給管路の各分岐管路部に接続される流路および同流路に連通する連通孔を有し前記供給管路に介装されるケーシングと、同ケーシングの前記連通孔の開口部に脱着可能に取付けられて同開口部を液密的に閉塞するプラグと、同プラグに脱着可能に取付けられて前記ケーシング内の前記流路に臨むフィルタエレメントとにより構成すること、前記フィルタを構成するケーシングを透明材料にて形成すること、等の態様を採用することができる。
【０００７】
【発明の作用・効果】
このように構成した電解水生成装置においては、フィルタが供給管路における貯溜槽の外部の位置に配設されているため、フィルタの交換、洗浄、清掃の際、予め貯溜槽内に残存する被電解水を排出して同貯溜槽内を空にする必要がなく取り外すことができるとともに、貯溜槽の外部にてフィルタの交換、洗浄、清掃を容易に行うことができる。この場合、フィルタを貯溜槽における被電解水の最高水位より高い位置に配設すれば、フィルタの取り外し時に貯溜槽内の被電解水がフィルタの配設部位から漏出するようなことがない。なお、この場合、フィルタを供給管路の主管路部と分岐管路部との接合部に配設すれば、装置全体としてのまとまりが良い。
【０００８】
また、当該電解水生成装置において、フィルタを上記したごときケーシング、プラグ、およびフィルタエレメントにて構成すれば、フィルタの交換、洗浄、清掃時にはフィルタエレメントをプラグと一体に取り外すことができるとともに、フィルタエレメントのみを交換、洗浄、清掃すればよく、これらの作業が極めて容易である。この場合、ケーシングを透明材料で構成すれば、フィルタエレメントの目詰まりを外部から目視により確認することができて、フィルタエレメントの交換、洗浄、清掃時期を容易に確認することができる。
【０００９】
【実施例】
以下、本発明を図面に基づいて説明するに、図１には本発明の一実施例に係る電解水生成装置が示されている。当該電解水生成装置は電解槽１０ａを主体とするもので、電解槽１０ａは供給管路１０ｂを介し貯溜槽１０ｃに接続されている。貯溜槽１０ｃには被電解水である希薄食塩水が貯溜されている。電解槽１０ａは長方形の箱状を呈するもので、槽本体１１の内部はイオン透過能を有する隔膜１２にて区画されていて、一方の隔室は陽極１３ａが配設されて陽極室Ｒａに形成され、かつ他方の隔室は陰極１３ｂが配設されて陰極室Ｒｂに形成されている。
【００１０】
供給管路１０ｂは主管路部１４ａと分岐管路部１４ｂ，１４ｃとからなり、主管路１４ａの一端は貯溜槽１０ｃに接続されており、かつ一方の分岐管路１４ｂは陽極室Ｒａに接続されているとともに、他方の分岐管路１４ｃは陰極室Ｒｂに接続されている。また、供給管路１０ｂにおける主管路部１４ａには供給ポンプ１５ａが介装されているとともに、各分岐管路１４ｂ，１４ｃにはそれぞれ流量調整弁１５ｂ，１５ｃが介装されている。各排出管路１６ａ，１６ｂは電解槽１０ａの各電極室Ｒａ，Ｒｂに接続されている。なお、貯溜槽１０ｃにはオーバフローパイプ１６ｃが立設されていて、貯溜されている希薄食塩水の水位が一定に保持されている。
【００１１】
かかる構成の当該電解水生成装置においては、供給ポンプ１５ａの駆動により貯溜槽１０ｃ内の希薄食塩水が供給管路１０ｂを通して電解槽１０ａの各電極室Ｒａ，Ｒｂに供給されて各電極室Ｒａ，Ｒｂ内で電解され、陽極室Ｒａにて生成された酸性水は排出管路１６ａを通して排出され、かつ陰極室Ｒｂ内にて生成されたアルカリ性水は排出管路１６ｂを通して排出される。この間、各電極室Ｒａ，Ｒｂ内に供給される被電解水は各流量調整弁１５ｂ，１５ｃにより流量を一定に調整される。
【００１２】
しかして、当該電解水生成装置において、供給管路１０ｂを構成する主管路部１４ａと分岐管路部１４ｂ，１４ｃとの接合部にフィルタ１０ｄが配設れている。当該フィルタ１０ｄは図２に示すように、ケーシング１７と、プラグ１８と、フィルタエレメント１９とにより構成されている。ケーシング１７は透明の樹脂からなる有底筒状のもので、筒体１７ａの底部には流入孔１７ｂが形成されているとともに、筒体１７ａの両側部には一対の流出孔１７ｃ，１７ｄが形成されており、また筒体１７ａの開口部の内周にはネジ部１７ｅが形成されている。かかるケーシング１７においては、筒体１７ａの内孔内が流路１７ｆとして機能する。
【００１３】
プラグ１８は先端面に嵌合凹所１８ａを有する樹脂製のもので、先端部の外周にネジ部１８ｂが形成されており、また中間部の外周にはＯリング１８ｃが嵌着されている。フィルタエレメント１９は筒体１９ａの内部にエレメント１９ｂを挿入された樹脂製のもので、筒体１９ａの外周には長手方向へ延びる複数のスリット状開口部１９ｃが形成され、かつ先端部には外向フランジ部１９ｄが形成されている。フィルタエレメント１９は、その後端部をプラグ１８の嵌合凹所１８ａに嵌着されて組付けられており、所定の力で嵌合凹所１８ａから取り外すことかできる。
【００１４】
プラグ１８は、フィルタエレメント１９を嵌着させた状態で、ケーシング１７の筒体１７ａの開口端部から内部に挿入されて進退可能に螺合され、最前進位置にてフィルタエレメント１９の外向フランジ部１９ｄを筒体１７ａの底部に当接させている。フィルタ１０ｄはこの状態で、ケーシング１７の流入孔１７ｂを供給管路１０ｂの主管路部１４ａに接続されるとともに、各流出管路１７ｃ，１７ｄを各分岐管路部１４ｂ，１４ｃに接続されて供給管路１０ｂの途中に介装されている。すなわち、フィルタ１０ｄは供給管路１０ｂにおける主管路部１４ａと両分岐管路部１４ｂ，１４ｃの接合部に位置しており、またフィルタ１０ｄの配設位置は貯溜槽１０ｃ内に貯溜されている希薄食塩水の最高水位より上方に位置にある。
【００１５】
このように構成した電解水生成装置においては、供給ポンプ１５ａを駆動して貯溜槽１０ｃ内の希薄食塩水をフィルタ１０ｄを通して電解槽１０ａの各電極室Ｒａ，Ｒｂ内に供給することができ、電解槽１０ａの両電極１３ａ，１３ｂに通電すれば、従来のこの種形式の電解水生成装置と同様、希薄食塩水が各電極室Ｒａ，Ｒｂ内で電解され、陽極室Ｒａからは酸性水が排出管路１６ａを通して排出されるとともに、陰極室Ｒｂからはアルカリ性水が排出管路１６ｂを通して排出される。
【００１６】
しかして、当該電解水生成装置の運転中にフィルタ１０ｄを構成するフィルタエレメント１９に目詰まりが生じた場合には、プラグ１８をケーシング１７の筒体１７ａから取り外してフィルタエレメント１９を新しいものに交換し、または洗浄、清掃する。この場合、フィルタエレメント１９はプラグ１８の嵌合凹所１８ａから容易に取り外すことができるとともに、新品または洗浄、清掃後のフィルタエレメント１９をプラグ１８の嵌合凹所１８ａに容易に嵌着することができる。その後、フィルタエレメント１９を嵌着されたプラグ１８は、フィルタエレメント１９とともにケーシング１７の筒体１７ａに螺着され、これにより作業が終了する。
【００１７】
このように、当該電解水生成装置においては、フィルタ１０ｄが供給管路１０ｂにおける貯溜槽１０ｃの外部の位置に配設されているため、フィルタ１０ｄを構成するフィルタエレメント１９の交換、洗浄、清掃の際、予め貯溜槽１０ｃ内に残存する希薄食塩水を排出して貯溜槽１０ｃ内を空にする必要がなく、貯溜槽１０ｃの外部にてフィルタエレメント１９の交換、洗浄、清掃を容易に行うことができる。この場合、フィルタ１０ｄが貯溜槽１０ｃにおける希薄食塩水の最高水位より高い位置に配設されているため、プラグ１８の取り外し時に貯溜槽１０ｃ内の希薄食塩水がフィルタ１０ｄの配設部位から漏出するようなことがない。
【００１８】
また、当該電解水生成装置において、フィルタ１０ｄをケーシング１７、プラグ１８、およびフィルタエレメント１９にて構成しているため、フィルタ１０ｄの交換、洗浄、清掃時にはプラグ１８をフィルタエレメント１９と一体にケーシング１７から取り外せばよく、またフィルタエレメント１９のみを交換、洗浄、清掃すればよいため、フィルタ１０ｄの交換、洗浄、清掃作業が極めて容易である。さらには、フィルタ１０ｄを構成するケーシング１７が透明材料で形成されているため、フィルタエレメント１９の目詰まりを外部から目視により確認することができて、フィルタエレメント１９の交換、洗浄、清掃時期を容易に確認することができる。
【図面の簡単な説明】
【図１】本発明の一実施例に係る電解水生成装置の概略構成図である。
【図２】同電解水生成装置に採用されるフィルタの横断平面図である。
【図３】従来の電解水生成装置の概略構成図である。
【符号の説明】
１０ａ…電解槽、１０ｂ…供給管路、１０ｃ…貯溜槽、１０ｄ…フィルタ、１４ａ…主管路部、１４ｂ，１４ｃ…分岐管路部、１７…ケーシング、１７ｂ…流入孔、１７ｃ，１７ｄ…流出孔、１７ｆ…流路、１８…プラグ、１８ａ…嵌合凹所、１９…フィルタエレメント、１９ａ…筒体、１９ｂ…エレメント。
【図１】
0003548621.tif 000002
【図２】
0003548621.tif 000003
【図３】
0003548621.tif 000004